【事件の表示】
　特願２００２−　２１６４７「写真シール自動販売機、写真シール作成方法、並びにプログラム」拒絶査定不服審判事件〔平成１５年　５月１６日出願公開、特開２００３−１４１５５８〕について、次のとおり審決する。
【結　論】
　本件審判の請求は、成り立たない。
【理　由】
１．手続の経緯
　本願は、特願２００１−２５３８７４号（優先日：平成１３年８月２４日）を基礎とする国内優先権の主張を伴う平成１４年１月３０日の出願であって、平成１６年２月９日付で拒絶査定がなされ、これに対して、同年３月１５日に拒絶査定に対する審判請求がなされるとともに、同年４月１２日付で手続補正がなされたものである。
　
２．平成１６年４月１２日付の手続補正（以下、「本件補正」という）についての補正却下の決定
［補正却下の結論］
　本件補正を却下する。
［理由］
（１）補正後の請求項１
（一）対応関係
　補正後の請求項１には補正前の請求項３と「スタンプ画像」（ないし（「所定の模様画像」）が「サイズ順」に配置される「写真シール自動販売機」に係る発明が記載される点で共通しており、補正後の請求項１は補正前の請求項３に対応したものといえる。
（二）補正事項
　補正後の請求項１は、（ａ）補正前の請求項３の「所定の模様画像」を「スタンプ画像」とする補正を含む。
　また、（ｂ）補正前の「サイズが変更されている前記所定の模様画像を、所定の間隔でサイズ順に複数個配置するように表示を制御する」という特定事項を省き、「前記スタンプ画像であって、予め定められた所定の個数のスタンプ画像を、それぞれのサイズを変更してサイズ順で配置することによって、各スタンプ画像が、前記指定入力が開始された位置から前記指定入力が終了された位置に向かってその大きさが徐々に変化するように、整列されて配置されるように表示を制御し」という特定事項を追加する補正を含む。
　更に、（ｃ）補正前の請求項３は請求項１又は請求項２を引用していたところ、補正後の請求項１は独立形式で記載される。
（三）検討
　補正事項（ａ）について、「スタンプ画像」は「所定の模様画像」の一態様と見ることができるから、限定的減縮に該当とする余地もある。
　補正事項（ｂ）について、補正前の特定事項に含まれていた「所定の間隔で」という事項は補正後の請求項１より文言上明らかに欠落している。
　また、補正後の請求項１によれば、「予め定められた所定の個数のスタンプ画像を、それぞれのサイズを変更してサイズ順で配置することによって、各スタンプ画像が、前記指定入力が開始された位置から前記指定入力が終了された位置に向かってその大きさが徐々に変化するように、整列されて配置される」のであるが、「指定入力が終了された位置」は特定されない任意の点であり、指定入力が開始された位置から指定入力が終了された位置までの距離は不特定であるのに対して、予め定められた所定の個数のスタンプ画像を不特定の二点間に配置すれば、各スタンプ画像の間隔は当然不特定となるから、各スタンプ画像を配置する間隔が「所定の間隔」となるとはいえない。
　よって、各スタンプ画像を「所定の間隔で複数個配置する」に相当する事項は文言上も実質的にも補正後の請求項１から省かれているといえる。
　したがって、請求項１に係る本件補正は補正事項（ｂ）を含むから限定的減縮を目的とするものに該当しない。
　補正事項（ｃ）について、補正前の請求項３は請求項１または請求項２を択一的に引用していたところ、補正後の請求項１は独立形式で記載されるから、引用請求項を減少させており、当該補正事項（ｃ）は特許請求の範囲の減縮を目的とするものといえる。
（２）補正後の請求項２
（一）対応関係
　補正後の請求項２には補正前の請求項４と「異なる複数種類の」スタンプ画像（ないし「所定の模様画像」）を配置するように表示を制御する「写真シール自動販売機」に係る発明が記載される点で共通しており、補正後の請求項２は補正前の請求項４に対応するといえる。
（二）補正事項
　補正後の請求項２は補正後の請求項１を引用する。よって、上記補正事項（ａ）（ｂ）（ｃ）を含む。
　また、（ｄ）補正後の請求項２は、補正前の請求項４の、前記所定の模様画像を「所定の間隔で配置する」ように表示を制御する、を前記スタンプ画像を「配置する」ように表示を制御する、とする補正を含む。すなわち、「所定の間隔で」が省かれている。
　更に、（ｅ）補正前の請求項４は、請求項１乃至３を引用していたものであるところ、補正後の請求項２は請求項１のみを引用する。
（三）検討
　請求項２に係る本件補正は、上記補正事項（ｂ）を含むから、上記検討と同様の理由により、限定的減縮を目的とするものに該当しない。
　補正事項（ｄ）については、「所定の間隔で」を省いているから、上記検討と同様の理由により、限定的減縮を目的とするものに該当しない。
　補正事項（ｅ）については、上記補正事項（ｃ）と同様であり、特許請求の範囲の減縮を目的とするものといえる。
（３）補正後の請求項３
（一）対応関係
　補正後の請求項３は補正前の請求項６と「前記第３の表示制御ステップ」の限定についてほぼ同様の記載を含む「写真シール自動販売機」に係る発明である点で共通しており、補正後の請求項３は補正前の請求項６に対応したものといえる。
（二）補正事項
　補正後の請求項３は、補正後の請求項１または請求項２を引用する。
　よって、上記補正事項（ａ）ないし（ｄ）を含む。また、「前記所定の模様画像」を「前記スタンプ画像」に変更する点は補正事項（ａ）と同様である。
　更に、（ｆ）補正前の請求項６は、請求項１乃至５を引用していたものであるところ、補正後の請求項３は請求項１または請求項２を引用する。
（三）検討
　請求項３に係る本件補正は、上記補正事項（ｂ）（ｄ）を含むから、上記検討と同様の理由により、限定的減縮を目的とするものに該当しない。
　補正事項（ｆ）については、補正事項（ｃ）（ｅ）と同様であり、特許請求の範囲の減縮を目的とするものといえる。
（４）補正後の請求項４
（一）対応関係
　補正後の請求項４には補正前の請求項８と「スタンプ画像」（ないし（「所定の模様画像」）が「サイズ順」に配置される「写真シール作成方法」に係る発明が記載される点で共通しており、補正後の請求項４は補正前の請求項８に対応したものといえる。
（二）補正事項
　補正後の請求項４には、補正後の請求項１の「写真シール自動販売機」に対応する「写真シール作成方法」に係る発明が記載されており、特定事項も概ね共通するから、補正後の請求項１と同様の補正事項（ａ）（ｂ）を含む。
　また、補正前の請求項８は補正前の請求項７を引用しているが、本件補正により、（ｇ）補正前の請求項７または請求項８の「第３の表示制御ステップ」の処理から、前記所定の模様画像を「所定の間隔で複数個配置し」配置位置を決定するように表示を制御すること（補正前の請求項７に含まれる）または「所定の間隔でサイズ順に複数個配置する」ように表示を制御すること（補正前の請求項８に含まれる）を省き、「配置されている前記スタンプ画像の」配置位置を決定するように表示を制御することを補正後の請求項４に加入している。
（三）検討　
　請求項４に係る本件補正は上記補正事項（ｂ）を含むから、上記と同様の理由により、限定的減縮を目的とするものに該当しない。
　更に、請求項４は補正事項（ｇ）も含むが、「所定の間隔で」を省いた点は、補正事項（ｂ）（ｄ）と同様であるから、請求項４に係る本件補正は限定的減縮を目的とするものに該当しない。
（５）補正後の請求項５
（一）対応関係
　補正後の請求項５には補正前の請求項９と「異なる複数種類の」スタンプ画像（ないし「所定の模様画像」）を配置するように表示を制御する「写真シール作成方法」に係る発明が記載される点で共通しており、補正後の請求項５は補正前の請求項９に対応するといえる。
（ニ）補正事項
　補正後の請求項５には、補正後の請求項２の「写真シール自動販売機」に対応する「写真シール作成方法」に係る発明が記載されており、特定事項も概ね共通するから、上記補正事項（ａ）（ｂ）（ｄ）を含む。
　また、補正後の請求項５は請求項４を引用しているから、上記補正事項（ｇ）を含む。
　更に、（ｈ）補正前の請求項９は請求項７または請求項８を引用していたものであるところ、補正後の請求項５は請求項４のみを引用する。
（三）検討
　請求項５に係る本件補正は、上記補正事項（ｂ）（ｄ）（ｇ）を含むから、上記検討と同様の理由により、限定的減縮を目的とするものに該当しない。
　補正事項（ｈ）については、引用請求項を減少させており、特許請求の範囲の減縮を目的とするものといえる。
（６）補正後の請求項６
（一）対応関係
　補正後の請求項６は補正前の請求項１１と、「前記第３の表示制御ステップ」の限定についてほぼ同様の記載を含む「写真シール作成方法」に係る発明である点で共通しており、補正後の請求項６は補正前の請求項１１に対応したものといえる。
（二）補正事項
　補正後の請求項６には、補正後の請求項３の「写真シール自動販売機」に対応する「写真シール作成方法」に係る発明が記載されており、特定事項も概ね共通するから、当該請求項に係る本件補正は、上記補正事項（ａ）（ｂ）を含む。
　また、補正後の請求項６は請求項４または請求項５を引用しているから、上記補正事項（ｇ）を含む。
　更に、（ｉ）補正前の請求項１１は、請求項７乃至１０を引用していたものであるところ、補正後の請求項６は請求項４または請求項５を引用する。
（三）検討
　請求項６に係る本件補正は、上記補正事項（ｂ）（ｇ）を含むから、上記検討と同様の理由により、限定的減縮を目的とするものに該当しない。
　補正事項（ｉ）については、引用請求項を減少させており、特許請求の範囲の減縮を目的とするものといえる。
（７）補正後の請求項７
（一）対応関係
　補正後の請求項７は補正後の請求項４を引用する「写真シール作成方法をコンピュータに実行させるプログラム」に係る発明が記載されているところ、補正前の請求項１２には補正前の請求項７の「画像印刷方法」（写真シール作成方法）をコンピュータに実行させるプログラムに係る発明が記載されており、補正前の請求項７を引用する請求項８は前記のように補正後の請求項４に対応していることから、補正後の請求項７は補正前の請求項１２に対応したものといえる。
（二）補正事項
　補正後の請求項７は補正後の請求項４を引用する。よって、上記補正事項（ａ）（ｂ）（ｇ）を含む。
（三）検討
　補正後の請求項７は補正事項（ｂ）（ｇ）を含むので、上記検討と同様に、限定的減縮を目的とするものに該当しない。
　なお、補正前の請求項８は補正前の請求項７を引用し「第３の表示制御ステップ」を限定したものといえるので、補正後の請求項７が補正後の請求項４を引用し、補正後の請求項４が補正前の請求項８に対応づけられるものであること、補正前の請求項１２は補正前の請求項８から「第３の表示制御ステップ」の限定を省いた請求項７を引用していたことから、引用請求項を減少させたことについては、特許請求の範囲の減縮と見ることができる。　
（８）補正後の請求項８
（一）対応関係
　補正後の請求項８には、「段階的に変化するグラデーションの色、および変化の度合いの設定」を特定事項の一部として含む「写真シール自動販売機」に係る発明が記載され、補正前の請求項５にも「段階的に変化するグラデーションの色、および変化の度合いを設定」という事項を特定事項の一部として含む「写真シール自動販売機」に係る発明が記載されているから、補正後の請求項８は補正前の請求項５に対応したものといえる。
（二）補正事項
　補正前の請求項５は、補正前の請求項１乃至４を引用しており、少なくとも補正前の請求項１の特定事項を全て含むものといえるところ、（ｋ）補正後の請求項８は、補正前の請求項５から少なくとも「前記現在指示されている位置が移動する度に、移動した前記現在指示されている位置に合わせて、配置されている前記所定の模様画像を消去して再配置するように表示を制御し、前記第２の受付手段により受け付けられている前記指定入力が終了された場合、配置されている前記所定の模様画像の配置位置を決定するように表示を制御する」という特定事項（補正前の請求項１に含まれている）を省いている。
（三）検討
　補正後の請求項８は補正事項（ｋ）に示すように特定事項を省いており、限定的減縮に該当しない。
（９）補正後の請求項９
（一）対応関係
　補正後の請求項９は補正前の請求項１０と「段階的に変化するグラデーションの色、および変化の度合いの設定」を特定事項の一部として含む「写真シール作成方法」に係る発明が記載される点で共通しているから、補正後の請求項９は補正前の請求項１０に対応したものといえる。
（二）補正事項
　補正後の請求項９には「写真シール作成方法」に係る発明が記載され、その特定事項は補正後の請求項８と同様である。そうだとすると、当該請求項９は補正後の請求項８と同様の補正事項（ｋ）を含む。
（三）検討
　上記検討と同様の理由により、補正後の請求項９は補正事項（ｋ）を含むから、補正後の請求項９に係る本件補正は限定的減縮に該当しない。
（１０）補正後の請求項１０
（一）対応関係
　補正後の請求項１０には、請求項９を引用する「写真シール作成方法をコンピュータに実行させるプログラム」に係る発明が記載されている。
　これに対し、上記したとおり補正後の請求項９は補正前の請求項１０に対応するといえるが、補正前の請求項１０を引用する「写真シール作成方法をコンピュータに実行させるプログラム」に係る発明が記載される請求項は本件補正前の特許請求の範囲には存在しない。
　また、本件補正前の特許請求の範囲の各請求項をみるに「プログラム」に係る発明が記載される請求項は請求項１２のみである。
　そして、補正前の請求項１２は補正前の請求項７のみを引用し、補正前の請求項７は独立形式の請求項である。
　さらに、前記したとおり補正後の請求項８が補正前の請求項１２に対応するといえる。
　そうすると、当該補正後の請求項１０に対応付けられる請求項は本件補正前の各請求項には存在しないといえる。
（二）補正事項
　補正後の請求項１０を特定することは、新たな請求項を追加したものといえる。すなわち、（ｍ）請求項を増加する補正といえる。
（三）検討
　当該補正後の請求項１０は、補正事項（ｍ）に示すように、いわゆる増項補正であり、限定的減縮に該当しない。
　
　従って、前記（１）ないし（１０）に掲げた補正事項（ｂ）（ｄ）（ｇ）（ｋ）（ｍ）を含む本件補正は、特許法第１７条の２第４項第２号の特許請求の範囲の減縮を目的とするものに該当しないというべきである。
　また、前記（１）ないし（１０）で指摘した補正事項（ｂ）（ｄ）（ｇ）（ｋ）（ｍ）は請求項の削除、誤記の訂正、明りょうでない記載の釈明（拒絶理由通知に係る拒絶の理由に示す事項についてするものに限る）のいずれかを目的とするものともいえない。
　以上のとおり、本件補正は特許法第１７条の２第４項各号に掲げる事項を目的とするものとはいえず、特許法第１５９条第１項で読み替えて準用する特許法第５３条第１項の規定により却下されるべきものである。
　よって、上記結論の通り決定する。
　
３．本願発明
　平成１６年４月１２日付の手続補正は上記のとおり却下されたので、本願の請求項１に係る発明（以下、同項記載の発明を「本願発明」という。）は、平成１５年７月２８日付手続補正書の特許請求の範囲の請求項１に記載された事項により特定される、以下のとおりのものである。
「被写体を撮影する撮影手段と、
　前記撮影手段により撮影された前記被写体の画像の表示を制御する第１の表示制御手段と、
　前記第１の表示制御手段により表示が制御された前記画像を編集するGUIの表示を制御する第２の表示制御手段と、
　前記第２の表示制御手段により表示が制御された前記GUIに基づいて、前記第１の表示制御手段により表示が制御された前記画像に付加する所定の模様画像を選択する選択入力を受け付ける第１の受付手段と、
　前記第１の受付手段により受け付けられた前記選択入力により選択された前記所定の模様画像の配置位置を指定する指定入力を受け付ける第２の受付手段と、
　前記第２の受付手段により受け付けられた前記指定入力が開始された位置と、終了された位置とを端点とする直線または曲線上に、前記第１の受付手段により受け付けられた前記選択入力により選択された前記所定の模様画像を、所定の間隔で複数個配置するように表示を制御する第３の表示制御手段と、
　前記第３の表示制御手段により表示が制御された前記所定の模様画像に基づいて、前記第１の表示手段により表示が制御された前記被写体の画像を編集する編集手段と、
　前記編集手段により編集された前記被写体の画像を所定の印刷媒体に印刷する印刷手段と、
　前記印刷手段により前記被写体の画像が印刷された前記印刷媒体を排出する排出手段とを備え、
　前記第３の表示制御手段は、前記第２の受付手段により受け付けられている前記指定入力が開始された位置と、現在指示されている位置とを端点とする直線または曲線上に、前記第１の受付手段により受け付けられた前記選択入力により選択された前記所定の模様画像を、所定の間隔で複数個配置するように表示を制御し、前記現在指示されている位置が移動する度に、移動した前記現在指示されている位置に合わせて、配置されている前記所定の模様画像を消去して再配置するように表示を制御し、前記第２の受付手段により受け付けられている前記指定入力が終了された場合、配置されている前記所定の模様画像の配置位置を決定するように表示を制御することを特徴とする写真シール自動販売機。」
　
４．引用文献
　原査定の拒絶の理由に引用された実用新案登録第３０６４４８６号公報（以下、「引用文献」という。）には、図面と共に以下の記載がある。
（イ）「本考案は、映像プリント遊戯装置に関し、特に、撮像手段によって撮像した遊戯者の画像に、装飾用の画像を合成する技術に関するものである。
　従来から、装置本体前面に位置する遊戯者を被写体として撮影し、その被写体像をシールにプリントして利用者に提供する映像プリント遊戯装置が知られている。このような映像プリント遊戯装置としては、実際に撮像した被写体像をプリントして提供するだけでなく、予め用意している複数の装飾用の画像（フレーム画像）の中から遊戯者が所望の画像を選択し、選択された装飾用の画像を被写体像に合成してプリントする装置が知られている（例えば、特開平１０−３０７９０３号公報等参照）。また、遊戯者の画像を透明なシールにプリントすることによって、シールを貼り付けた壁等の美観を損なわないようにする装置も提案されている（例えば、特開平１０−２４５０２２号公報等参照）。
　しかしながら、上記のような従来の映像プリント遊戯装置によれば、遊戯者が選択可能な装飾用の画像は、予め用意されている画像に限定されるため、画像の装飾は在り来たりのものになり、遊戯者がすぐに飽きを感じてしまうことも多かった。また、装飾用の画像を合成する作業は、所望の装飾用の画像を選択するだけの作業であり、画像を合成する作業自体を遊戯者が楽しむことはできなかった。また、透明なシールにプリントする装置では、シールを貼り付けた壁等の美観を損なわないものの、上記の問題を解決することはできなかった。」（公報第６頁第４行目ないし第２５行目段落【０００１】ないし【０００３】）
（ロ）「上記目的を達成するために請求項１に記載の考案は、遊戯者を撮像する撮像手段と、この撮像手段によって撮像された画像に装飾用の画像を合成する合成手段と、撮像手段によって撮像された画像又は合成手段による合成画像を表示する表示手段と、この表示手段に表示された画像をシール等の記録媒体にプリントするプリント手段とを有する映像プリント遊戯装置において、合成手段は、撮像手段によって撮像された画像内に、撮像手段によって撮像した画像を縮小して前記装飾用の画像として嵌め込み合成するものである。
　上記構成においては、撮像手段によって撮像した画像を装飾用の画像として使用するため、遊戯者は、予め用意された画像データの中から装飾用の画像に限られることなく、遊戯中に撮像される遊戯者自身の画像を装飾用の画像として嵌め込み合成することができる。」（公報第７頁第５行目ないし第１６行目段落【０００５】ないし【０００６】）
（ハ）「以下、本考案の一実施形態に係る映像プリント遊戯装置について図面を参照して説明する。図１に本映像プリント遊戯装置による画像嵌め込み合成時の表示画面を示し、図２にこの画像嵌め込み合成時の処理の流れを示す。本映像プリント遊戯装置は、図１に示すように、ＣＣＤ等のカメラによって撮像した画像Ｐの中に、これと同一画像（又はＣＣＤによって撮像した他の画像）を縮小した画像Ｐ１を嵌め込み合成することが可能である。この画像嵌め込み合成時の大まかな手順は次の通りである。遊戯者が、撮像された画像を装飾するためのフレーム画像を予め用意された画像の中から選択すると（Ｓ１）、その後、カメラによる撮影が実行される（Ｓ２）。そして、撮影した画像が適当な大きさ（スタンプサイズ）に縮小され、ＲＡＭ７（記憶手段、図３参照）に記憶される（Ｓ３）。ＲＡＭ７に記憶された縮小画像Ｐ１は、映像プリント遊戯装置の表示画面６０の嵌め込み用画像表示部６１に表示され、スタンプとして使用可能であることが遊戯者に対して示される。遊戯者は、この嵌め込み用画像表示部６１に表示された縮小画像Ｐ１を所定の操作で指定すると、縮小画像Ｐ１が表示画面中に嵌め込み合成され、あたかも表示画面６０に縮小画像Ｐ１をスタンプとして押したかのような感覚で使用される（Ｓ４）。」（公報第９頁第８行目ないし第２３行目段落【００１５】）
（ニ）「画像装飾時の表示画面について説明する。本映像プリント遊戯装置は、表示画面６０上での操作によって、カメラによって撮像された画像に様々な加工を施すことが可能である。表示画面６０には、タッチパネル１０（指定手段、位置検出手段、図３参照）が取り付けられており、不図示のタッチペンで任意位置を指定することによって、撮像した画像Ｐの中に線や絵を描き込んだり、縮小画像Ｐ１を嵌め込むことができるようになっている。表示画面６０には、撮像画像Ｐ及び嵌め込み用画像表示部６１の他、描く線の太さを設定するためのボタン６２，６３，６４、描いた線等を消すためのボタン６５、描く線の色を設定するためのボタン群６６、更に、直前の操作を取り消すための取り消しボタン６７、加工した画面を初期画面に戻すための初期画面ボタン６８、及び表示画面６０の印刷を実行するためのプリントボタン６９が表示される。タッチペンにより表示画面６０上で各ボタンを押下すると、その押下された位置の座標値がタッチパネル１０によって検出され、座標値に応じた処理が施されるようになっている。」（公報第９頁第１０行目ないし第１０頁第８行目段落【００１６】）
（ホ）「図３に本考案の一実施形態に係る映像プリント遊戯装置の概略構成を示す。映像プリント遊戯装置１は、装置全体の動作制御を司るＣＰＵ２を有している。制御部２は、ＲＯＭ３に記憶されたメインプログラムに基づいて上述した画像嵌め込み合成処理等及び装置全体の動作を制御する。また、ＣＰＵ２は、描画処理部４及びＬＣＤドライブ回路５を介してディスプレイとして機能するＬＣＤ（表示手段）６を制御する。この描画処理部４には、ＲＡＭ（記憶手段）７に記憶された縮小画像Ｐ１のデータ等がＣＰＵ２から送られ、描画処理部４は縮小画像Ｐ１のデータをディスプレイ表示可能な形式に処理する。ＬＣＤドライブ回路５は、描画処理部４からのデータに基づいてＬＣＤ６の動作を制御する。」（公報第１０頁第１０行目ないし第１８行目段落【００１７】）
（ヘ）「また、映像プリント遊戯装置１には、遊戯者を被写体として撮像するためのＣＣＤ（撮像手段）１５が設けられている。このＣＣＤ１５によって撮像された画像はＲＡＭ７に一時的に記憶され、描画処理部４に送られてＬＣＤ６に表示される。また、ＣＣＤ１５によって撮像した画像は画像処理部（合成手段、画像縮小手段）１７にも送られ、画像処理部１７によって上記スタンプサイズに縮小された後、縮小画像Ｐ１としてＲＡＭ７に記憶される。ＲＡＭ７に記憶された縮小画像は、描画処理部４に送られ、嵌め込み用画像表示部６１に表示される。画像処理部１７は、ＬＣＤ６に表示された画像Ｐへの縮小画像Ｐ１の嵌め込み合成も行う。画像処理部１７は、上記タッチペンによりタッチパネル１０上の任意座標値が指定され、タッチペンが当該座標値から所定距離（予め設定しておいた任意距離であり、例えば、縮小画像の横幅と同等の距離など）だけ移動したことが、タッチパネル１０から送られてくる座標値によって認識されると、その座標値の位置（タッチペンが所定距離だけ移動した位置）に縮小画像Ｐ１を嵌め込み合成する処理を行う。なお、映像プリント遊戯装置１には、ＬＣＤ６の表示画面６０をプリントするために、プリンタドライバ１８及びプリンタ（プリント手段）１９が備えられている。」（公報第１１頁第１行目ないし第１６行目段落【００１９】）
（ト）「次に、遊戯者によりタッチペンを用いてＬＣＤ６の嵌め込み用画像表示部６１に表示された縮小画像の中から所望の画像が指定され（Ｓ２６：ＹＥＳ）、タッチペンを用いて表示画面６０上で嵌め込み合成を開始する位置が指定されると（Ｓ２７：ＹＥＳ）、指定された位置に縮小画像が嵌め込み合成される（Ｓ２８）。タッチパネル１０から入力される座標値に基づいて（Ｓ２９：ＹＥＳ）、タッチペンによる指定位置が所定距離移動したことが確認されると（Ｓ３０：ＹＥＳ）、所定距離だけ移動した位置に更に縮小画像が嵌め込み合成される（Ｓ２８）。嵌め込み合成される縮小画像は、その中心点がタッチペンによって指定された座標値に一致する位置に合成される。この縮小画像嵌め込み合成は、タッチペンの移動に伴って次々に行われ、タッチペンが表示画面６０に非接触となったとき、すなわち、タッチパネル１０から座標値の入力がなくなった時に（Ｓ２９：ＮＯ）、画像嵌め込み合成処理が終了する。このような処理によって縮小画像を嵌め込み合成することで、遊戯者がタッチペンでＬＣＤ６の表示画面６０をなぞってやれば、タッチペンの移動に追従して所定間隔毎に縮小画像が次々に連続して表示されていくことになる。これにより遊戯者は、表示画面にスタンプを連続して押しているかのような感覚で縮小画像を表示させることができ、画像嵌め込み作業を娯楽として楽しむことができる。」（公報第１１頁第２９行目ないし第１２頁第１６行目段落【００２１】）
　
５．対比
　そこで、本願発明と引用文献記載の発明（以下、「引用文献発明」という。）とを対比する。
　記載事項（イ）（ロ）より、引用文献発明は「写真シール自動販売機」に係るものであることは明らかである。
　引用文献発明では、記載事項（ハ）より、ＣＣＤ等のカメラで遊戯者を撮影するからカメラは遊戯者の画像データを生成する手段であり、本願発明の「撮影手段」に相当する。
　また、引用文献発明の「遊戯者」は撮影手段の撮影対象であり、本願発明の「被写体」に相当する。
　すなわち、引用文献発明にも本願発明の「被写体を撮影する撮影手段」に相当する事項の存在を認めることができる。
　記載事項（ニ）（ホ）及び図１より、引用文献発明では、表示画面６０に撮像画像Ｐが表示されるよう制御されるから、本願発明の「前記撮影手段により撮影された前記被写体の画像の表示を制御する第１の表示制御手段」に相当する事項の存在を認めることができる。
　記載事項（ハ）（ニ）（ホ）より、引用文献発明では、撮像した画像Ｐに絵や線を描いたり縮小画像をスタンプのようにはめ込み合成したりすることが可能であり、図１によれば、嵌め込み用画像表示部６１、描く線の太さを設定するためのボタン６２、６３、６４、等の表示が認められ、これらは撮像画像Ｐの編集に供されるものであるから、画像を編集するＧＵＩの表示といえ、本願発明の「前記第１の表示制御手段により表示が制御された前記画像を編集するGUIの表示を制御する第２の表示制御手段」に相当する事項の存在が認められる。
　記載事項（ハ）によれば、引用文献発明には、嵌め込み用画像表示部６１に表示された縮小画像Ｐ１を所定の操作で指定し、表示画面６０に嵌め込み合成できること、が明らかであるから、「前記第２の表示制御手段により表示が制御された前記GUIに基づいて、前記第１の表示制御手段により表示が制御された前記画像に付加する所定の画像を選択する選択入力を受け付ける第１の受付手段」に相当する事項の存在が認められる。もっとも、本願発明では「所定の模様画像」を選択する。
　記載事項（ヘ）（ト）によれば、引用文献発明では、タッチペンによりタッチパネル１０上の任意座標値が指定され、当該座標値から任意座標移動したことが認識されると、タッチペンの移動に追随して所定間隔毎に縮小画像が次々に連続して表示されていくものであるから、「前記第１の受付手段により受け付けられた前記選択入力により選択された前記所定の画像の配置位置を指定する指定入力を受け付ける第２の受付手段と、前記第２の受付手段により受け付けられた前記指定入力が開始された位置と、終了された位置とを端点とする直線または曲線上に、前記第１の受付手段により受け付けられた前記選択入力により選択された前記所定の画像を、所定の間隔で複数個配置するように表示を制御する第３の表示制御手段」及び「前記第３の表示制御手段は、前記第２の受付手段により受け付けられている前記指定入力が開始された位置と、現在指示されている位置とを端点とする直線または曲線上に、前記第１の受付手段により受け付けられた前記選択入力により選択された前記所定の画像を、所定の間隔で複数個配置するように表示を制御」すること、に相当する事項の存在が認められる。もっとも、本願発明では「所定の模様画像」を選択する。
　記載事項（ニ）によれば、引用文献発明では縮小画像Ｐ１の嵌め込みのほか、種々の太さの線を描いたり、描く線の色を設定したり、直前の操作を取り消したりすることが可能であることは明らかであり、「前記第３の表示制御手段により表示が制御された前記所定の画像に基づいて、前記第１の表示手段により表示が制御された前記被写体の画像を編集する編集手段」に相当する事項の存在が認められる。もっとも、本願発明では「所定の模様画像」を選択する。
　記載事項（ニ）によれば、引用文献発明では、表示画面６０の印刷をプリントボタン６９を押すことにより行うことは明らかであり、記載事項（へ）によれば、引用文献１発明では、印刷のためのプリンタドライバ１８及びプリンタ（プリント手段）１９を備えているのであるから、本願発明の「前記編集手段により編集された前記被写体の画像を所定の印刷媒体に印刷する印刷手段」に相当する事項の存在が認められる。
　
　以上より、本願発明と引用文献発明とでは、
「被写体を撮影する撮影手段と、
　前記撮影手段により撮影された前記被写体の画像の表示を制御する第１の表示制御手段と、
　前記第１の表示制御手段により表示が制御された前記画像を編集するGUIの表示を制御する第２の表示制御手段と、
　前記第２の表示制御手段により表示が制御された前記GUIに基づいて、前記第１の表示制御手段により表示が制御された前記画像に付加する所定の画像を選択する選択入力を受け付ける第１の受付手段と、
　前記第１の受付手段により受け付けられた前記選択入力により選択された前記所定の画像の配置位置を指定する指定入力を受け付ける第２の受付手段と、
　前記第２の受付手段により受け付けられた前記指定入力が開始された位置と、終了された位置とを端点とする直線または曲線上に、前記第１の受付手段により受け付けられた前記選択入力により選択された前記所定の画像を、所定の間隔で複数個配置するように表示を制御する第３の表示制御手段と、
　前記第３の表示制御手段により表示が制御された前記所定の画像に基づいて、前記第１の表示手段により表示が制御された前記被写体の画像を編集する編集手段と、
　前記編集手段により編集された前記被写体の画像を所定の印刷媒体に印刷する印刷手段と、
　前記第３の表示制御手段は、前記第２の受付手段により受け付けられている前記指定入力が開始された位置と、現在指示されている位置とを端点とする直線または曲線上に、前記第１の受付手段により受け付けられた前記選択入力により選択された前記所定の画像を、所定の間隔で複数個配置するように表示を制御する写真シール自動販売機。」である点で一致し、以下の各点で相違している。
（相違点１）
　本願発明が、「所定の模様画像」を対象として、第１の受付手段で選択し、第２の受付手段で配置位置を指定し、第３の表示制御手段により表示を制御するのに対して、引用文献発明では、これらの手段の対象である「所定の画像」が縮小画像である点。
（相違点２）
　本願発明が、「前記印刷手段により前記被写体の画像が印刷された前記印刷媒体を排出する排出手段」を備えるのに対して、引用文献発明では、このような事項が明示されていない点。
（相違点３）
　本願発明の第３の表示制御手段が「前記現在指示されている位置が移動する度に、移動した前記現在指示されている位置に合わせて、配置されている前記所定の模様画像を消去して再配置するように表示を制御し、前記第２の受付手段により受け付けられている前記指定入力が終了された場合、配置されている前記所定の模様画像の配置位置を決定するように表示を制御する」するのに対して、引用文献発明では、このような事項が明示されていない点。
　
６．検討
　以下、上記各相違点につき、検討する。
（相違点１について）
　引用文献発明においては、記載事項（イ）（ロ）等より明らかなように、縮小画像を装飾のために嵌め込むのであり、また、記載事項（イ）（ロ）にあるように、引用文献発明は予め用意されている複数の装飾用の画像（フレーム画像）から遊戯者が所望の画像を選択し、選択された装飾用の画像を被写体像に合成してプリントする装置を前提として考案されたものと解されるから、装飾用の画像として所定の模様を有する画像を採用することは被写体の撮影画像に装飾効果を与えるという意味において格別のこととはいえず、当業者であれば容易に着想し得るといえる。
（相違点２について）
　引用文献発明においても、記載事項（ロ）によれば、表示手段に表示された画像をシール等の記録媒体にプリントする動作を行うものであるし、記載事項（イ）にあるように、被写体をシールなどの記録媒体にプリントして利用者に提供することは、従来から行われていたといえる。
　そうであるならば、引用文献発明においても、記録済みの記録媒体を被写体である撮影者が受け取ることができるように記録媒体の排出手段を設けることは、当業者であれば当然にそのように設計するであろう程度の事項に過ぎない。
（相違点３について）
　画像処理の分野では、ペン等でディスプレイ上の任意の一点を始点とし任意の一点を終点として始点から終点までの線分を描画するものであって、終点の位置を移動させるとリアルタイムに表示された線分を消去し新たな終点位置に対応した線分を再表示すること、及び、終点位置を指定入力することで、線分の描画位置を確定すること、換言すれば、現在指示されている位置が移動する度に、移動した前記現在指示されている位置に合わせて、描画されている線分（画像）を消去して再描画するように表示を制御し、終点の指定入力が終了された場合、描画されている前記線分（画像）の配置位置を決定するように表示を制御する」ことは、原査定で引用した特開昭６３−２１４８８２号公報、特開平６−１６１６４９号公報に示されるように従来周知の事項に過ぎない。
　一方、引用文献発明においては、記載事項（へ）（ト）に示されるように、タッチペンの表示画面への接触により嵌め込み合成の開始座標を指定し、タッチペンが表示画面から離れると嵌め込み合成の終了座標が指定され、装飾用の嵌め込み画像は開始座標と終了座標とを結ぶ線分上に配置されるものである。
　そうすると、引用文献発明のものも、タッチペンを用いて表示画面上で始点の座標と終点の座標の指定を行い、画像の編集処理を行うという限度では上記周知技術と技術的な共通性があるといえるし、記載事項（ニ）及び図１に示されるように、引用文献発明でも編集作業の取り消しや初期画面への復帰といった、編集作業を修正可能とする技術思想が含まれているといえるから、引用文献発明において、編集画像の修正に係る上記周知技術の技術思想を嵌め込み画像の配置位置の指定に適用して、上記相違点３に係る本願発明の如く構成することも当業者であれば容易に想到し得ることである。
　
　そして、上記各相違点を総合しても格別のこととはいえず、本願発明の作用効果も、上記引用文献及び上記周知技術から予測できる範囲のものであり、格別のものとはいえない。
　したがって、本願発明は、引用文献発明及び周知技術に基づいて、当業者が容易に発明をすることができたものであるから、特許法第２９条第２項の規定により特許を受けることができないものである。
　
７．むすび
　以上のとおり、本願発明は、引用文献発明及び周知技術に基づいて、当業者が容易に発明をすることができたものであるから、特許法第２９条第２項の規定により特許を受けることができない。
　それゆえ、他の請求項について検討するまでもなく、本願は拒絶すべきものである。
　よって、結論のとおり審決する。